(57)【要約】    【課題】  広画角、高ズーム比で諸収差、特に色収差が良好に補正され、ズーム全域にわたり高い光学性能を有するズームレンズを得ること。    【解決手段】  物体側より像側に順に配置された、負の屈折力の第１レンズ群、第２レンズ群、第３レンズ群、第４レンズ群を有し、ズーミングに際して、第１レンズ群は不動で、第２レンズ群、第３レンズ群、第４レンズ群は互いに独立に異なった軌跡で移動するズームレンズであって、材料のアッベ数をνｄ、部分分散比をθｇＦとするとき、第２レンズ群と第３レンズ群と第４レンズ群はいずれも  ６５＜νｄ＜１００  ０．５２＜θｇｆ＜０．５６なる条件式を満足する材料よりなるレンズαを１枚以上有すること。【選択図】    図１
2019120823.tif 000002
【特許請求の範囲】
【請求項１】
物体側より像側に順に配置された、負の屈折力の第１レンズ群、第２レンズ群、第３レンズ群、第４レンズ群を有し、ズーミングに際して、前記第１レンズ群は不動で、前記第２レンズ群、第３レンズ群、第４レンズ群は互いに独立に異なった軌跡で移動するズームレンズであって、
材料のアッベ数をνｄ、部分分散比をθｇＦとするとき、前記第２レンズ群と前記第３レンズ群と前記第４レンズ群はいずれも
６５＜νｄ＜１００
０．５２＜θｇｆ＜０．５６
なる条件式を満足する材料よりなるレンズαを１枚以上有することを特徴とするズームレンズ。
【請求項２】
前記第２レンズ群に含まれるレンズαの屈折力の符号は前記第２レンズ群の屈折力の符号と同じであり、
前記第３レンズ群に含まれるレンズαの屈折力の符号は前記第３レンズ群の屈折力の符号と同じであり、
前記第４レンズ群に含まれるレンズαの屈折力の符号は前記第４レンズ群の屈折力の符号と同じである
ことを特徴とする請求項１に記載のズームレンズ。
【請求項３】
前記第２レンズ群は正の屈折力を有することを特徴とする請求項１または２に記載のズームレンズ。
【請求項４】
前記第３レンズ群は負の屈折力を有することを特徴とする請求項１乃至３のいずれか１項に記載のズームレンズ。
【請求項５】
前記第４レンズ群は正の屈折力を有することを特徴とする請求項１乃至４のいずれか１項に記載のズームレンズ。
【請求項６】
前記第４レンズ群の像側に隣接して配置された負の屈折力の第５レンズ群を有することを特徴とする請求項１乃至５のいずれか１項に記載のズームレンズ。
【請求項７】
前記第２レンズ群の焦点距離をｆ２、広角端における全系の焦点距離をｆｗとするとき、
１．０＜ｆ２／ｆｗ＜３．５
なる条件式を満足することを特徴とする請求項１乃至６のいずれか１項に記載のズームレンズ。
【請求項８】
前記第３レンズ群の焦点距離をｆ３、広角端における全系の焦点距離をｆｗとするとき、
−５．５＜ｆ３／ｆｗ＜−１．０
なる条件式を満足することを特徴とする請求項１乃至７のいずれか１項に記載のズームレンズ。
【請求項９】
前記第４レンズ群の焦点距離をｆ４、広角端における全系の焦点距離をｆｗとするとき、
２．０＜ｆ４／ｆｗ＜５．０
なる条件式を満足することを特徴とする請求項１乃至８のいずれか１項に記載のズームレンズ。
【請求項１０】
前記第２レンズ群に含まれるレンズαのうち少なくとも一つは正レンズであり、該正レンズの焦点距離をｆ２ｐ、前記第２レンズ群の焦点距離をｆ２とするとき、
０．４＜ｆ２ｐ／ｆ２＜２．０
なる条件式を満足することを特徴とする請求項１乃至９のいずれか１項に記載のズームレンズ。
【請求項１１】
前記第３レンズ群に含まれるレンズαのうち少なくとも一つは負レンズであり、該負レンズの焦点距離をｆ３ｎ、前記第３レンズ群の焦点距離をｆ３とするとき、
０．５＜ｆ３ｎ／ｆ３＜２．０
なる条件式を満足することを特徴とする請求項１乃至１０のいずれか１項に記載のズームレンズ。
【請求項１２】
前記第４レンズ群に含まれるレンズαのうち少なくとも一つは正レンズであり、該正レンズの焦点距離をｆ４ｐ、前記第４レンズ群の焦点距離をｆ４とするとき、
０．４＜ｆ４ｐ／ｆ４＜２．０
なる条件式を満足することを特徴とする請求項１乃至１１のいずれか１項に記載のズームレンズ。
【請求項１３】
広角端における前記第２レンズ群の横倍率をβ２ｗ、望遠端における前記第２レンズ群の横倍率をβ２ｔとするとき、
２．０＜β２ｔ／β２ｗ＜６．０
なる条件式を満足することを特徴とする請求項１乃至１２のいずれか１項に記載のズームレンズ。
【請求項１４】
前記第３レンズ群は単一の光学素子より構成されることを特徴とする請求項１乃至１３のいずれか１項に記載のズームレンズ。
【請求項１５】
請求項１乃至１４のいずれか１項に記載のズームレンズと、該ズームレンズによって形成された像を受光する撮像素子を有することを特徴とする撮像装置。
【請求項１６】
請求項１乃至１４のいずれか１項に記載のズームレンズと、ズーミングに際して前記ズームレンズを制御する制御部を有することを特徴とする撮像システム。
【請求項１７】
前記制御部は、前記ズームレンズとは別体として構成されており、前記ズームレンズを制御するための制御信号を送信する送信部を有することを特徴とする請求項１６に記載の撮像システム。
【請求項１８】
前記制御部は、前記ズームレンズとは別体として構成されており、前記ズームレンズを操作するための操作部を有することを特徴とする請求項１６または１７に記載の撮像システム。
【請求項１９】
前記ズームレンズのズームに関する情報を表示する表示部を有することを特徴とする請求項１６乃至１８のいずれか１項に記載の撮像システム。
【発明の詳細な説明】
【技術分野】
【０００１】
本発明はズームレンズに関し、特に、監視カメラ、デジタルカメラ、ビデオカメラ、放送用カメラ等の撮像装置に用いる撮像光学系として好適なものである。
【背景技術】
【０００２】
撮像装置に用いられるズームレンズは、撮像素子の高精細化に対応できる高い光学性能を有し、かつ広画角で全系が小型であることが要望されている。例えば、監視カメラなどの撮像装置は、設置性や外観から認識されにくいよう全系が小型であることが強く要望されている。また監視カメラ等の撮像装置に用いられるズームレンズはズーム全域にわたり諸収差、特に色収差が良好に補正され、高い光学性能を有すること等が要望されている。
【０００３】
従来、ズームレンズとして最も物体側に負の屈折力の第１レンズ群が配置され、第１レンズ群の像側にズーミングに際して移動するレンズ群を３つ以上有した広画角のネガティブリード型のズームレンズが知られている（特許文献１、２）。特許文献１、２では物体側から像側へ順に負の屈折力のレンズ群、ズーミングに際して移動するレンズ群を３つ以上有し、ズーミングに際して隣り合うレンズ群の間隔が変化する全体として５つのレンズ群より構成される５群ズームレンズを開示している。
【先行技術文献】
【特許文献】
【０００４】
【特許文献１】特開２００８−３０９８９７号公報
【特許文献２】特開２００９−６９２９８号公報
【発明の概要】
【発明が解決しようとする課題】
【０００５】
ネガティブリード型のズームレンズにおいて、全系が小型でかつ広画角でありながら色収差をはじめ諸収差が良好に補正され、全ズーム領域にわたり高い光学性能を得るにはレンズ群の数や、各レンズ群のレンズ構成等を適切に設定することが重要になってくる。
【０００６】
例えば監視カメラに用いられるズームレンズでは、レンズ群の数や各レンズ群の屈折力、そして各レンズ群内において諸収差が良好に補正されていることが重要になってくる。特に色収差が良好に補正され、ズーミングに際して収差変動が少なく、ズーム全域にわたり高い光学性能を有することが重要になってくる。
【０００７】
本発明は、広画角、高ズーム比で諸収差、特に色収差が良好に補正され、ズーム全域にわたり高い光学性能を有するズームレンズ及びそれを有する撮像装置の提供を目的とする。
【課題を解決するための手段】
【０００８】
本発明のズームレンズは、物体側より像側に順に配置された、負の屈折力の第１レンズ群、第２レンズ群、第３レンズ群、第４レンズ群を有し、ズーミングに際して、前記第１レンズ群は不動で、前記第２レンズ群、第３レンズ群、第４レンズ群は互いに独立に異なった軌跡で移動するズームレンズであって、
材料のアッベ数をνｄ、部分分散比をθｇＦとするとき、前記第２レンズ群と前記第３レンズ群と前記第４レンズ群はいずれも
６５＜νｄ＜１００
０．５２＜θｇｆ＜０．５６
なる条件式を満足する材料よりなるレンズαを１枚以上有することを特徴としている。
【発明の効果】
【０００９】
本発明によれば、広画角、高ズーム比で諸収差、特に色収差が良好に補正され、ズーム全域にわたり高い光学性能を有するズームレンズが得られる。
【図面の簡単な説明】
【００１０】
【図１】実施例１のズームレンズの広角端におけるレンズ断面図
【図２】（Ａ）、（Ｂ）、（Ｃ）  実施例１のズームレンズの広角端、中間のズーム位置、望遠端における収差図
【図３】実施例２のズームレンズの広角端におけるレンズ断面図
【図４】（Ａ）、（Ｂ）、（Ｃ）  実施例２のズームレンズの広角端、中間のズーム位置、望遠端における収差図
【図５】実施例３のズームレンズの広角端におけるレンズ断面図
【図６】（Ａ）、（Ｂ）、（Ｃ）  実施例３のズームレンズの広角端、中間のズーム位置、望遠端における収差図
【図７】実施例４のズームレンズの広角端におけるレンズ断面図
【図８】（Ａ）、（Ｂ）、（Ｃ）  実施例４のズームレンズの広角端、中間のズーム位置、望遠端における収差図
【図９】実施例５のズームレンズの広角端におけるレンズ断面図
【図１０】（Ａ）、（Ｂ）、（Ｃ）  実施例５のズームレンズの広角端、中間のズーム位置、望遠端における収差図
【図１１】実施例６のズームレンズの広角端におけるレンズ断面図
【図１２】（Ａ）、（Ｂ）、（Ｃ）  実施例６のズームレンズの広角端、中間のズーム位置、望遠端における収差図
【図１３】ドームカバーおよび実施例１のズームレンズ断面図
【図１４】保護カバーおよび実施例１のズームレンズ断面図
【図１５】（Ａ）、（Ｂ）  本発明の監視カメラでの実施例と監視カメラの使用例
【図１６】実施例１におけるズーム軌跡および説明図
【発明を実施するための形態】
【００１１】
以下に本発明の好ましい実施の形態を添付の図面に基づいて説明する。本発明のズームレンズは、物体側より像側に順に配置された第１レンズ群、第２レンズ群、第３レンズ群、第４レンズ群を有している。そしてズーミングに際して前記第１レンズ群は不動で、前記第２レンズ群、第３レンズ群、第４レンズ群は互いに独立に移動する。第１レンズ群は負の屈折力である。
【００１２】
図１は本発明の実施例１のズームレンズの広角端（最短焦点距離）におけるレンズ断面図である。図２（Ａ）、（Ｂ）、（Ｃ）はそれぞれ実施例１のズームレンズの広角端、中間のズーム位置、望遠端（最長焦点距離）における収差図である。実施例１はズーム比４．００、Ｆナンバー１．７５〜４．２０のズームレンズである。
【００１３】
図３は本発明の実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。実施例２はズーム比３．３０、Ｆナンバー１．７５〜４．１０のズームレンズである。
【００１４】
図５は本発明の実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。実施例３はズーム比６．００、Ｆナンバー１．７５〜５．００のズームレンズである。
【００１５】
図７は本発明の実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。実施例４はズーム比４．００、Ｆナンバー１．７５〜４．３０のズームレンズである。
【００１６】
図９は本発明の実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。実施例５はズーム比４．００、Ｆナンバー１．７５〜４．３０のズームレンズである。
【００１７】
図１１は本発明の実施例６のズームレンズの広角端におけるレンズ断面図である。図１２（Ａ）、（Ｂ）、（Ｃ）はそれぞれ実施例６のズームレンズの広角端、中間のズーム位置、望遠端における収差図である。実施例６はズーム比３．９０、Ｆナンバー１．７５〜４．０９のズームレンズである。
【００１８】
図１３は本発明のズームレンズをドームカバーに装着したときの要部概略図である。図１４は本発明のズームレンズを保護カバーに装着したときの要部概略図である。図１５（Ａ）、（Ｂ）は本発明のズームレンズを有する監視カメラ（撮像装置）の要部概略図である。図１６（Ａ）、（Ｂ）、（Ｃ）は本発明の実施例１のズームレンズのズーミングによる各レンズ群のズーム軌跡の説明図である。
【００１９】
各実施例のズームレンズは監視カメラに用いられる撮像光学系である。各実施例のズームレンズはビデオカメラやデジタルカメラ、銀塩フィルムカメラ、ＴＶカメラなどの撮像装置に用いても良い。
【００２０】
レンズ断面図において、左方が物体側（前方）で、右方が像側（後方）である。また、レンズ断面図において、Ｌ０はズームレンズである。ｉを物体側からのレンズ群の順番とすると、Ｌｉは第ｉレンズ群を示す。ＳＰは開口絞りである。Ｇはフィルター等の光学ブロックである。ＩＰは像面である。像面ＩＰは、デジタルカメラやビデオカメラ、監視カメラの撮像光学系としてズームレンズを使用する際には、ＣＣＤセンサやＣＭＯＳセンサなどの撮像素子（光電変換素子）の撮像面に相当する。
【００２１】
各実施例のズームレンズは、ズーミングに際して隣り合うレンズ群間隔が変化する。矢印は広角端から望遠端へのズーミングに際して、各レンズ群の移動軌跡を示している。またフォーカスに関する矢印は無限遠から近距離へフォーカシングするときのレンズ群の移動方向を示している。
【００２２】
球面収差図において、実線のｄはｄ線（波長５８７．６ｎｍ）、二点鎖線のｇはｇ線（波長４３５．８ｎｍ）、一点鎖線のＣはＣ線（波長６５６．３ｎｍ）、点線のＦはＦ線（波長４８６．１ｎｍ）を示している。非点収差図において点線のＭはｄ線のメリディオナル像面、実線のＳはｄ線のサジタル像面である。歪曲収差はｄ線での値を示している。倍率色収差はｇ線、Ｆ線、Ｃ線によって表している。ωは撮像半画角（度）、ＦｎｏはＦナンバーである。なお、各実施例において広角端と望遠端は変倍用のレンズ群が機構上、光軸上を移動可能な範囲の両端に位置したときのズーム位置をいう。
【００２３】
各実施例のズームレンズは、物体側から像側に順に負、正、負、正の屈折力の第１レンズ群Ｌ１乃至第４レンズ群Ｌ４を有する。第４レンズ群Ｌ４の像側に負の屈折力の第５レンズ群Ｌ５を有していても良い。
【００２４】
実施例１乃至３、６は４群構成のズームレンズである。４群構成のズームレンズは物体側より像側へ順に配置された、負の屈折力の第１レンズ群Ｌ１、正の屈折力の第２レンズ群Ｌ２、負の屈折力の第３レンズ群Ｌ３、正の屈折力の第４レンズ群Ｌ４より構成されている。ズーミングに際して第１レンズ群Ｌ１は不動で、第２レンズ群Ｌ２、第３レンズ群Ｌ３、第４レンズ群Ｌ４が矢印で示す如く、互いに独立に異なった軌跡で移動する。
【００２５】
実施例４、５は５群構成のズームレンズである。５群構成のズームレンズは物体側より像側へ順に配置された、負の屈折力の第１レンズ群Ｌ１、正の屈折力の第２レンズ群Ｌ２、負の屈折力の第３レンズ群Ｌ３、正の屈折力の第４レンズ群Ｌ４、負の屈折力の第５レンズ群Ｌ５より構成されている。
【００２６】
ズーミングに際して第１レンズ群Ｌ１は不動で、第２レンズ群Ｌ２、第３レンズ群Ｌ３、第４レンズ群Ｌ４が矢印に示す如く、互いに独立に異なった軌跡で移動する。第５レンズ群Ｌ５は不動であるか、または移動する。
【００２７】
各実施例において、開口絞りＳＰは第２レンズ群Ｌ２の物体側に配置され、ズーミングに際して第２レンズ群Ｌ２と同じ軌跡で移動する。この開口絞りＳＰの開口径はズーミングに際して一定であってもよく、また変化させても良い。
【００２８】
開口絞りＳＰの開口径を変化させることで、望遠端において大きく発生する軸外光束による下線コマフレアをカットすることができ、より良好な光学性能を得ることができる。フォーカシングに関しては、第３レンズ群Ｌ３が光軸上を移動することで行う。望遠端において無限遠から近距離へフォーカスを行う場合には、レンズ断面図中の矢印３ｃに示すように、第３レンズ群Ｌ３を像側に繰り込むことによって行っている。
【００２９】
図中の曲線３ａは、無限遠にフォーカスしているときの、広角端から望遠端へのズーミングに伴う像面変動を補正するための移動軌跡を示す。曲線３ｂは近距離にフォーカスしているときの、広角端から望遠端へのズーミングに伴う像面の変動を補正するための移動軌跡を示す。フォーカシングは第３レンズ群Ｌ３ではなく、第２レンズ群Ｌ２の全てのレンズ、もしくは一部のレンズ、または第４レンズ群Ｌ４の全てのレンズ、もしくは一部のレンズを光軸上に移動させて行ってもよい。
【００３０】
本発明に係るズームレンズのズームタイプは前述した各レンズ群よりなる４群構成または５群構成である。このズームタイプは全系の小型化しつつも明るいＦナンバー（Ｆｎｏ）で広角端から望遠端までのズーム全域で高い光学性能を得るために、隣接するレンズ群の間隔を変化せてズーミングを行う際に好適なレンズ構成である。
【００３１】
ズーミングにおける各レンズ群の移動方法に関し、実施例１のズームレンズの４つのレンズ群よりなる４群ズームレンズを例に、図１６（Ａ）、（Ｂ）、（Ｃ）を用いて各レンズ群の移動について説明する。
【００３２】
広角端から望遠端へのズーミングに際し、第２レンズ群Ｌ２、第３レンズ群Ｌ３、第４レンズ群Ｌ４レンズ群は図１６（Ａ）、（Ｂ）、（Ｃ）に示すようにそれぞれ独立に（異なった軌跡で）移動する。
【００３３】
具体的には、第２レンズ群Ｌ２は像側から物体側へ単調移動し変倍し、それと同時に第３レンズ群Ｌ３は物体側へ凸状に移動、第４レンズ群Ｌ４は少なくとも一つの変曲点を持つような軌跡で移動している。このような各レンズ群の移動軌跡を形成するために、広角端においては第２レンズ群Ｌ２、第３レンズ群Ｌ３、第４レンズ群Ｌ４の各々のレンズ群間隔を適正に確保し高倍化しやすい構成としている。フォーカシングに際しては、第３レンズ群Ｌ３が移動する。
【００３４】
広画角系のズームレンズは第１レンズ群の外径が大きくなるため重量が大きくなりズーミングに際して迅速な追従が困難となる。これを解決するために各実施例では、ズーミングに際して重量が軽い第２レンズ群以降のレンズを駆動させることで、迅速なズーミングが容易となる構成としている。
【００３５】
また、ズーミングによる色収差の変動が発生するとズーム全域において色収差の補正が困難となる。そのため各実施例においては可動レンズ群に使用する材料を適切に設定してズーミングに際しての色収差の補正を軽減している。
【００３６】
各実施例のズームレンズは物体側より順にズーミングに際して不動の負の屈折力の第１レンズ群Ｌ１とそれに続くズーミングに際して移動する第２レンズ群Ｌ２、第３レンズ群Ｌ３、第４レンズ群Ｌ４の少なくとも３つのレンズ群を有している。
【００３７】
そして第２レンズ群Ｌ２と第３レンズ群Ｌ３と第４レンズ群Ｌ４は、材料のアッベ数をνｄ、部分分散比をθｇＦとするとき、いずれも、
６５＜νｄ＜１００          ・・・（１）
０．５２＜θｇｆ＜０．５６  ・・・（２）
なる条件式を満足する材料よりなるレンズαを１枚以上有する。
【００３８】
次に前述の各条件式の技術的意味について説明する。
【００３９】
条件式（１）は各移動レンズ群が有する材料のアッベ数を規定し、ズーミングに際しての色収差の変動を軽減するためのものである。条件式（１）の下限を超えるとズーミングに際して色収差の変動が大きくなるので好ましくない。条件式（１）の上限を超えると色収差が補正過剰となり好ましくない。
【００４０】
条件式（２）は、各移動レンズ群が有する材料の部分分散比を規定し、ズーミングに際して複数の波長での色収差の変動を軽減するためのものである。条件式（２）は移動レンズ群が有する異常部分分散材料の数値範囲を規定している。広い波長帯域で色収差を補正する場合には、多くの場合、特定の２波長以外の波長に対しては色収差が残留する。各実施例ではこの残留した色収差（２次スペクトル）を低減するため、異常部分分散材料を用いている。
【００４１】
一般的に光学材料の多くは、部分分散比とアッベ数の間にはほぼ直線関係が成り立つ。他方この直線関係から離れた位置にある材料は異常部分分散材料と呼ばれ、２次スペクトルを低減する際に多く使用される。材料のアッベ数νｄ及び部分分散比θｇｆは、以下の式の通りに与えられる。
【００４２】
νｄ＝（ｎｄ−１）／（ｎＦ−ｎＣ）
θｇＦ＝（ｎｇ−ｎＦ）／（ｎＦ−ｎＣ）
【００４３】
ここで、フラウンフォーファ線のＦ線（４８６．１ｎｍ）、ｄ線（５８７．６ｎｍ）、Ｃ線（６５６．３ｎｍ）、ｇ線（４３５．８ｎｍ）に対する屈折率をそれぞれｎＦ、ｎｄ、ｎＣ、ｎｇとしている。
【００４４】
条件式（２）の上限を超えると、色収差の２次スペクトルのズーミングに際しての変動が補正過剰となってくる。条件式（２）の下限を超えると、色収差の２次スペクトルのズーミングに際しての変動が不十分となってくる。
【００４５】
条件式（１）、（２）の数値範囲以下の如く限定するとより好ましい。
７０＜νｄ＜９６            ・・・（１ａ）
０．５３＜θｇｆ＜０．５５  ・・・（２ａ）
【００４６】
第２レンズ群Ｌ２、第３レンズ群Ｌ３、第４レンズ群Ｌ４の各々含まれる条件式（１）、（２）を満足する材料よりなるレンズαの屈折力の符号はレンズαが含まれるレンズ群の屈折力の符号と同じである。ここで屈折力（パワー）とは焦点距離の逆数であり、焦点距離が短いほど屈折力が強まる。正の屈折力のレンズ群（第２レンズ群Ｌ２と第４レンズ群Ｌ４）に含まれる条件式（１）、（２）を満足する材料よりなるレンズαの屈折力の符号は正である。
【００４７】
これは正の屈折力のレンズ群の正の屈折力を受け持つのは正レンズであり、この正レンズに異常部分分散材料を使用することで、ズーミングに際しての複数の波長の色収差の変動を効果的に軽減している。
【００４８】
負の屈折力のレンズ群（第３レンズ群Ｌ３）に含まれる条件式（１）、（２）に含まれる条件式（１）、（２）を満足する材料よりなるレンズαの屈折力の符号は負である。これは負の屈折力のレンズ群の負の屈折力を受け持つのは負レンズであり、この負レンズに異常部分分散材料を使用することで、ズーミングに際して複数の波長の色収差の変動を効果的に軽減している。
【００４９】
各実施例において、第１レンズ群Ｌ１は比較的重量が重いので、ズーミングに際して不動とすることでズーミングに際しての追従性を緩和している。広角端から望遠端へのズーミングに際して第２レンズ群Ｌ２は、主変倍レンズ群として像側から物体側へ移動することにより高い変倍効果を得ている。
【００５０】
第３レンズ群Ｌ３は物体側に凸状の軌跡で移動する。第３レンズ群Ｌ３は、更にフォーカスレンズ群としての機能も有する。第３レンズ群Ｌ３は合焦時の高い追従性能を得るために、全系の小型化が望ましい。第３レンズ群Ｌ３は軽量化の観点から単一の光学素子であることが望ましい。ここで光学素子は単レンズ若しくは接合レンズを意味する。
【００５１】
更に、第４レンズ群Ｌ４は物体側から像側へ移動することにより変倍比を確保している。すなわち、第２レンズ群Ｌ２と第４レンズ群Ｌ４の変倍効果を担うレンズ群を同時に駆動させることにより変倍比を効率的に得ている。
【００５２】
次に各実施例において好ましくは次の条件式のうち一つ以上を満足するのが良い。第２レンズ群Ｌ２の焦点距離をｆ２、広角端における全系の焦点距離をｆｗとする。第３レンズ群Ｌ３の焦点距離をｆ３とする。第４レンズ群Ｌ４の焦点距離をｆ４とする。第２レンズ群Ｌ２は１枚以上の正レンズを有し、第２レンズ群Ｌ２に含まれる一つの正レンズ（レンズα）の焦点距離をｆ２ｐとする。
【００５３】
第３レンズ群Ｌ３は１枚以上の負レンズを有し、第３レンズ群Ｌ３に含まれる一つの負レンズ（レンズα）の焦点距離をｆ３ｎとする。第４レンズ群Ｌ４は１枚以上の正レンズを有し、第４レンズ群Ｌ４に含まれる一つの正レンズ（レンズα）の焦点距離をｆ４ｐとする。広角端における第２レンズ群Ｌ２の横倍率をβ２ｗ、望遠端における第２レンズ群Ｌ２の横倍率をβ２ｔとする。
【００５４】
このとき、次の条件式のうち一つ以上を満足するのが良い。
１．０＜ｆ２／ｆｗ＜３．５      ・・・（３）
−５．５＜ｆ３／ｆｗ＜−１．０  ・・・（４）
２．０＜ｆ４／ｆｗ＜５．０      ・・・（５）
０．４＜ｆ２ｐ／ｆ２＜２．０    ・・・（６）
０．５＜ｆ３ｎ／ｆ３＜２．０    ・・・（７）
０．４＜ｆ４ｐ／ｆ４＜２．０    ・・・（８）
２．０＜β２ｔ／β２ｗ＜６．０  ・・・（９）
【００５５】
次に前述の各条件式の技術的意味について説明する。条件式（３）は第２レンズ群Ｌ２の焦点距離を規定する。条件式（３）はズーミングに際しての色収差の変動を軽減するためのものである。条件式（３）の上限を超えて、広角端における全系の焦点距離に対して第２レンズ群の焦点距離が長くなると、ズーミングに際して軸上色収差の変動は軽減されるが、レンズ全長が増大するため好ましくない。条件式（３）の下限を超えて、広角端における全系の焦点距離に対して第２レンズ群の焦点距離が短くなると、レンズ全長は短くなるが、ズーミングに際して色収差の変動が大きくなるため好ましくない。
【００５６】
条件式（４）は第３レンズ群Ｌ３の焦点距離を規定する。条件式（４）はズーミングに際しての軸上色収差の変動を軽減するためのものである。条件式（４）の上限を超えて、広角端における全系の焦点距離に対して第３レンズ群Ｌ３の負の屈折力が強くなると（負の屈折力の絶対値が大きくなると）、ズーミング及びフォーカシングに際して色収差の変動が大きくなるため好ましくない。
【００５７】
条件式（４）の下限を超えて、広角端における全系の焦点距離に対して第３レンズ群Ｌ３の負の屈折力が弱くなると（負の屈折力の絶対値が小さくなると）ズーミング及びフォーカシングに際して第３レンズ群Ｌ３の移動量が増えるためレンズ全長が増大する。このため好ましくない。
【００５８】
条件式（５）は第４レンズ群Ｌ４の焦点距離を規定する。条件式（５）はズーミングに際しての倍率色収差の変動を軽減するためのものである。条件式（５）の上限を超えて、広角端における全系の焦点距離に対して第４レンズ群Ｌ４の焦点距離が長くなると、ズーミングに際しての移動量が増えるためレンズ全長が増大するので好ましくない。条件式（５）の下限を超えて、広角端における全系の焦点距離に対して第４レンズ群Ｌ４の焦点距離が短くなるとズーミングに際して倍率色収差の変動が大きくなるため好ましくない。
【００５９】
条件式（６）は第２レンズ群Ｌ２の焦点距離と、第２レンズ群Ｌ２に含まれる一つの正レンズｆ２ｐ（レンズα）の焦点距離の比を規定する。条件式（６）はズーミングに際して軸上色収差の変動を軽減するためのものである。条件式（６）の上限を超えて、第２レンズ群Ｌ２の焦点距離に対して、正レンズｆ２ｐの焦点距離が長くなると、第２レンズ群Ｌ２の正の屈折力が不十分となり、ズーミングに際しての移動量が増大し、全系の小型化が困難になる。
【００６０】
条件式（６）の下限を超えて、第２レンズ群Ｌ２の焦点距離に対して、正レンズｆ２ｐの焦点距離が短くなると、正レンズｆ２ｐの屈折力が強くなりすぎて、球面収差、コマ収差等が多く発生してくるため好ましくない。
【００６１】
条件式（７）は第３レンズ群Ｌ３の焦点距離と、第３レンズ群Ｌ３に含まれる一つの負レンズｆ３ｎ（レンズα）の焦点距離の比を規定する。条件式（７）はフォーカシング及びズーミングに際しての軸上色収差の変動を軽減するためのものである。条件式（７）の上限を超えて、第３レンズ群Ｌ３の焦点距離に対して、負レンズｆ３ｎの負の焦点距離が長くなると、第３レンズ群Ｌ３の負の屈折力が不十分となり、ズーミングに際しての移動量が増大し、全系の小型化が困難になる。
【００６２】
条件式（７）の下限を超えて、第３レンズ群Ｌ３の焦点距離に対して、負レンズｆ３ｎの焦点距離が短くなり、負の屈折力が強くなると、球面収差、コマ収差等の発生が増大するため好ましくない。
【００６３】
条件式（８）は第４レンズ群Ｌ４の焦点距離と、第４レンズ群Ｌ４に含まれる一つの正レンズｆ４ｐ（レンズα）の焦点距離の比を規定する。条件式（８）はズーミングに際しての倍率色収差の変動を軽減するためのものである。条件式（８）の上限を超えて、第４レンズ群Ｌ４の焦点距離に対して、正レンズｆ４ｐの焦点距離が長くなると、第４レンズ群Ｌ４の正の屈折力が不十分となり、ズーミングに際しての移動量が増大し、全系の小型化が困難になる。
【００６４】
条件式（８）の下限を超えて、第４レンズ群Ｌ４の焦点距離に対して、正レンズｆ４ｐの焦点距離が短くなると、正の屈折力が強くなる。その結果、球面収差、コマ収差等の発生が増大するため好ましくない。
【００６５】
条件式（９）は広角端と望遠端における第２レンズ群Ｌ２の横倍率の比を規定する。条件式（９）は第２レンズ群Ｌ２が変倍を担う適切な条件を規定している。条件式（９）の上限を超えて、第２レンズ群Ｌ２の変倍分担が大きくなりすぎると、変倍のための移動量が大きくなり、全系の小型化が困難になる。条件式（９）の下限を超えて、第２レンズ群Ｌ２の変倍分担が小さくなり過ぎると、所望のズーム比を得るのが困難になる。
【００６６】
更に好ましくは条件式（３）乃至（９）の数値範囲を次の如く設定するのが良い。
１．５＜ｆ２／ｆｗ＜２．７      ・・・（３ａ）
−５．０＜ｆ３／ｆｗ＜−２．０  ・・・（４ａ）
２．３＜ｆ４／ｆｗ＜４．０      ・・・（５ａ）
０．７＜ｆ２ｐ／ｆ２＜１．５    ・・・（６ａ）
０．６＜ｆ３ｎ／ｆ３＜１．５    ・・・（７ａ）
０．６＜ｆ４ｐ／ｆ４＜１．５    ・・・（８ａ）
２．３＜β２ｔ／β２ｗ＜４．５  ・・・（９ａ）
【００６７】
以上のように各実施例によれば撮像半画角が４０度以上、ズーム比が３以上、広角端のＦナンバーとして２．０未満を実現し、４Ｋの画素数の撮像素子にも十分対応できるズームレンズが得られる。次に各実施例のレンズ構成について説明する。
【００６８】
（実施例１）
第１レンズ群Ｌ１は、物体側が凸面のメニスカス形状の負レンズＧ１１、両凹形状の負レンズＧ１２、物体側が凸面のメニスカス形状の正レンズＧ１３により成っている。ズーミングに際して第１レンズ群Ｌ１は不動である。
【００６９】
第２レンズ群Ｌ２は、両凸形状の正レンズＧ２１、両凸形状の正レンズＧ２２（レンズα）、物体側が凸面のメニスカス形状の負レンズＧ２３、両凸形状の正レンズＧ２４（レンズα）により成っている。正レンズＧ２１は両面は非球面であり、これにより球面収差を良好に補正している。
【００７０】
正レンズＧ２４は低分散性を有する異常部分分散材料を使用することによりズーミングに際しての軸上色収差の変動を良好に補正している。低分散性を有する異常部分分散材料の例としては、商品名S-FPL51(OHARA製)、商品名S-FPL55(OHARA製)等が挙げられる。
【００７１】
第３レンズ群Ｌ３は、両凹形状の負レンズＧ３１（レンズα）により成っている。第３レンズ群Ｌ３はフォーカスレンズ群としている。色収差の補正を考慮して低分散性を有する異常部分分散材料を使用している。
【００７２】
第４レンズ群Ｌ４は、両凸形状の正レンズＧ４１、両凹形状の負レンズＧ４２、および両凸形状の正レンズＧ４３（レンズα）により成っている。正レンズＧ４１と負レンズＧ４２は接合した接合レンズより構成している。負レンズＧ４２と正レンズＧ４３の間は空気間隔を有し、空気レンズとして物体側に凸面となるようなメニスカス形状としており、これによりコマ収差を良好に補正している。
【００７３】
（実施例２）
第４レンズ群Ｌ４は、物体側が凸面のメニスカス形状の正レンズＧ４１、物体側が凸面のメニスカス形状の負レンズＧ４２、および両凸形状の正レンズＧ４３（レンズα）により成っている。正レンズＧ４１と負レンズＧ４２は接合した接合レンズより構成している。負レンズＧ４２と正レンズＧ４３との間は空気間隔を有し、空気レンズとして物体側に凸面となるようなメニスカス形状としており、これによってコマ収差を良好に補正している。その他の各レンズ群の構成は、実施例１と同じである。
【００７４】
（実施例３）
第１レンズ群Ｌ１は、物体側が凸面のメニスカス形状の負レンズＧ１１、両凹形状の負レンズＧ１２、および両凸形状の正レンズＧ１３により成っている。負レンズＧ１２と正レンズＧ１３は接合された接合レンズとしている。ズーミングに際して第１レンズ群は不動である。
【００７５】
第４レンズ群Ｌ４は、両凸形状の正レンズＧ４１、物体側が凸面のメニスカス形状の負レンズＧ４２、および両凸形状の正レンズＧ４３（レンズα）により成っている。その他の各レンズ群の構成は、実施例１と同じである。
【００７６】
（実施例４）
第３レンズ群Ｌ３は、両凹形状の負レンズＧ３１（レンズα）、物体側が凸形状の正レンズＧ３２により成っている。負レンズＧ３１と正レンズＧ３２は接合された接合レンズとしている。第３レンズ群Ｌ３はフォーカスレンズ群としている。
【００７７】
第５レンズ群Ｌ５は、像側が凸面のメニスカス形状の負レンズＧ５１により成っている。異常部分分散材料を使用することによりズーミングに際しての倍率色収差の変動を良好に補正している。ズーミングに際して第５レンズ群Ｌ５は移動する。その他の各レンズ群の構成は、実施例１と同じである。
【００７８】
（実施例５）
第３レンズ群Ｌ３は、両凹形状の負レンズＧ３１（レンズα）、物体側が凸形状の正レンズＧ３２により成っている。負レンズＧ３１と正レンズＧ３２は接合された接合レンズとしている。第３レンズ群Ｌ３はフォーカスレンズ群としている。
【００７９】
第５レンズ群Ｌ５は、像側が凸面のメニスカス形状の負レンズＧ５１により成っている。異常部分分散材料を使用することによりズーミングに際しての倍率色収差の変動を良好に補正している。ズーミングに際して第５レンズ群Ｌ５は不動である。その他の各レンズ群の構成は、実施例１と同じである。
【００８０】
（実施例６）
第２レンズ群Ｌ２は、両凸形状の正レンズＧ２１、物体側が凸形状の正レンズＧ２２（レンズα）、像側が凹形状の負レンズＧ２３、像側が凹面のメニスカス形状の負レンズＧ２４、両凸形状の正レンズＧ２５（レンズα）により成っている。正レンズＧ２１は両面が非球面形状であり、これにより球面収差を良好に補正している。
【００８１】
正レンズＧ２２と負レンズＧ２３は接合された接合レンズ、負レンズＧ２４と正レンズＧ２５は接合された接合レンズよりなり、これによって諸収差を良好に補正している。正レンズＧ２２と、正レンズＧ２５は異常部分分散材料を使用することにより、ズーミングに際して軸上色収差の変動を良好に補正している。
【００８２】
第４レンズ群Ｌ４は、物体側が凸面のメニスカス形状の正レンズＧ４１、物体側が凸面のメニスカス形状の負レンズＧ４２、および両凸形状の正レンズＧ４３（レンズα）により成っている。正レンズＧ４１と負レンズＧ４２は接合された接合レンズよりなっている。負レンズＧ４２と正レンズＧ４３の間は空気間隔を有し、空気レンズとして物体側に凸面となるようなメニスカス形状としており、これによってコマ収差を良好に補正している。その他の各レンズ群の構成は、実施例１と同じである。
【００８３】
図１３は実施例１のズームレンズ１６をドームカバー１５と併せて監視カメラに使用した時の断面図を表している。ドームカバー１５は、ポリメチルメタクリレート（ＰＭＭＡ）やポリカーボネート（ＰＣ）等のプラスチック材料により数ミリ程度の厚さで成形されている。これによりドームカバー付きを前提とした撮像装置とするときは、ドームカバーの影響（焦点距離や材質）を考慮した設計とし諸収差の補正を行っても良い。
【００８４】
次に、図１４は実施例１のズームレンズ１６を平板形状の保護カバー１７と併せて監視カメラに使用した時の断面図を表している。
【００８５】
次に本発明のズームレンズを撮像光学系として用いた撮像装置（監視カメラ）の実施例を図１５（Ａ）、（Ｂ）を用いて説明する。図１５（Ａ）において、１１は監視カメラ本体、１６は実施例１乃至６で説明したいずれかのズームレンズによって構成された撮像光学系である。１２はカメラ本体に内蔵され、撮像光学系１６によって形成された被写体像を受光するＣＣＤセンサやＣＭＯＳセンサ等の撮像素子（光電変換素子）である。
【００８６】
１３は撮像素子１２によって光電変換された被写体像に対応する情報を記録するメモリである。１４は撮像素子１２によって光電変換された被写体像を転送するためのネットワークケーブルである。
【００８７】
図１５（Ｂ）は撮像装置１０にドーム状のカバー１５を装着し、天井に取付けて使用したときの例である。撮像装置としては監視カメラに限定されることなく、ビデオカメラやデジタルカメラ等においても用いることができる。
【００８８】
以上のように、各実施例によれば全系が小型でありながら高ズーム比で、しかも広角端でＦＮｏが小さい高い光学性能を有するズームレンズ、およびそれを有する撮像装置を得ることができる。
【００８９】
なお各実施例においては以下のような構成をとっても良い。
・実施例に示したレンズの形状、枚数に限定されず、適宜変更すること。
・一部のレンズおよびレンズ群を光軸に対して垂直方向の成分を持つように移動させ、これにより手ぶれ等の振動に伴う像ブレを補正すること。
・電気的な補正手段により、歪曲収差や色収差などを補正すること。
【００９０】
以上、本発明の好ましい実施形態について説明したが、本発明はこれらの実施形態や光学仕様（画角やＦｎｏ）に限定されず、その要旨の範囲内で種々の変形が可能である。
【００９１】
例えば、各実施例のズームレンズと、ズームレンズを制御する制御部とを含めた撮像システム（監視カメラシステム）を構成してもよい。この場合、制御部は、ズーミングに際して各レンズ群が上述したように移動するようズームレンズを制御すればよい。このとき、制御部がズームレンズと一体的に構成されている必要はなく、制御部をズームレンズとは別体として構成してもよい。
【００９２】
例えば、ズームレンズの各レンズを駆動する駆動部に対して遠方に配置された制御部（制御装置）が、ズームレンズを制御するための制御信号（命令）を送る送信部を備える構成を採用してもよい。このような制御部によれば、ズームレンズを遠隔操作することができる。
【００９３】
また、ズームレンズを遠隔操作するためのコントローラーやボタンなどの操作部を制御部に設けることで、ユーザーの操作部への入力に応じてズームレンズを制御する構成を採ってもよい。例えば、操作部として拡大ボタン及び縮小ボタンを設け、ユーザーが拡大ボタンを押したらズームレンズの倍率が大きくなる。ユーザーが縮小ボタンを押したらズームレンズの倍率が小さくなるように、制御部からズームレンズの駆動部に信号が送られるように構成すればよい。
【００９４】
また、撮像システムは、ズームレンズのズームに関する情報（移動状態）を表示する液晶パネルなどの表示部を有していてもよい。ズームレンズのズームに関する情報とは、例えばズーム倍率（ズーム状態）や各レンズ群の移動量（移動状態）である。この場合、表示部に示されるズームレンズのズームに関する情報を見ながら、操作部を介してユーザーがズームレンズを遠隔操作することができる。このとき、例えばタッチパネルなどを採用することで表示部と操作部とを一体化してもよい。
【００９５】
次に本発明の実施例１乃至６にそれぞれ対応する数値データ１乃至６を示す。各数値データにおいて、ｉは物体側からの光学面の順序を示す。
【００９６】
ｒｉは第ｉ番目の光学面（第ｉ面）の曲率半径、ｄｉは第ｉ面と第ｉ＋１面との間の間隔、ｎｄｉ、νｄｉはそれぞれｄ線に対する第ｉ番目の光学部材の材料の屈折率、アッベ数を示す。また最も像側の２つの光学面はフェースプレート等のガラス材である。ＢＦ（バックフォーカス）はレンズ最終面から近軸像面までの距離を空気換算長により表したものである。レンズ全長はレンズ最前面からレンズ最終面までの距離にバックフォーカス（ＢＦ）を加えた値である。
【００９７】
面番号に付した＊は非球面を意味する。またｋを離心率、Ａ４、Ａ６、Ａ８、Ａ１０、Ａ１２を非球面係数、面頂点を基準にして光軸からの高さｈの位置における光軸方向の変位をｘとするとき、非球面形状は、
ｘ＝（ｈ2／Ｒ）／［１＋｛１−（１＋ｋ）（ｈ／Ｒ）2｝1/2］＋Ａ４ｈ4＋Ａ６ｈ6＋Ａ８ｈ8＋Ａ１０ｈ10＋Ａ１２ｈ12
で表される。また「ｅ−ｚ」の表示は「１０-z」を意味する。但しＲは近軸曲率半径である。各数値データにおける上述した条件式との対応を表１に示す。 
【００９８】
［数値データ１］
単位 mm
面データ
面番号       r        d      nd         νd             θgf
1        191.892    2.00   1.83481    42.7           0.5648
2         21.122   11.88                             
3        -48.942    1.50   1.48749    70.2           0.5300
4        176.773    2.00                             
5         63.664    2.68   1.89286    20.4           0.6393
6        243.745  (可変)                             
7(絞り)    ∞       2.11                             
8*        45.281    5.16   1.58313    59.4           0.5423
9*       -72.200    3.00                             
10         22.298    6.06   1.49700    81.5           0.5375
11        -65.669    2.28                             
12         68.647    0.90   1.90366    31.3           0.5947
13         17.579    2.45                             
14         39.276    3.30   1.49700    81.5            0.5375
15        -36.706  (可変)                             
16        -50.271    0.80   1.49700    81.5            0.5375
17         27.179  (可変)                             
18         27.447    6.09   1.83481    42.7            0.5648
19        -75.046    1.20   1.68893    31.1           0.6004
20         21.558    2.04                             
21         34.199    4.14   1.49700    81.5            0.5375
22        -85.407  (可変)                             
23          ∞       1.20   1.51633    64.1           0.5353
24          ∞      4.35                             
像面        ∞   
【００９９】
非球面データ
第8面
K = 0.00000e+000  A 4=-1.30185e-005  A 6= 3.96680e-008  A 8=-2.25320e-010  A10= 6.55663e-013  A12= 5.58643e-015  
第9面
K = 0.00000e+000  A 4= 2.67549e-006  A 6= 2.76907e-008  A 8= 1.16606e-010  A10=-1.77003e-012  A12= 1.27104e-014  
各種データ
ズーム比     4.00 
広角     中間     望遠
焦点距離      12.06    23.80    48.26  
Fナンバー      1.75     2.80     4.20  
半画角（度）  41.70    24.31    12.56  
像高          10.75    10.75    10.75  
レンズ全長   127.99   127.99   127.99  
BF            16.58     6.75     6.14  
d 6           49.34    27.44     5.54  
d15            0.92     5.94    14.83  
d17            1.58    28.29    41.91  
d22           11.44     1.61     1.00  
レンズ群データ
群  始面    焦点距離  
1    1     -27.03  
2    7      27.16  
3   16     -35.37  
4   18      46.40  
【０１００】
［数値データ２］
単位 mm
面データ
面番号       r        d      nd         νd             θgf
1        215.778    2.00   1.83481    42.7           0.5648
2         21.390   11.45                             
3        -48.017    1.50   1.48749    70.2            0.5300
4         85.153    2.00                             
5         52.905    2.86   1.89286    20.4            0.6393
6        176.248  (可変)                             
7(絞り)    ∞       1.57                             
8*        71.848    5.41   1.58313    59.4           0.5423
9*       -47.799    2.21                             
10         20.696    7.52   1.49700    81.5           0.5375
11        -73.506    1.40                             
12         49.609    0.90   1.90366    31.3           0.5947
13         15.856    2.30                             
14         35.756    3.12   1.49700    81.5           0.5375
15        -49.242  (可変)                             
16        -50.319    0.80   1.49700    81.5           0.5375
17         27.093  (可変)                             
18         27.112    4.26   1.83481    42.7           0.5648
19        188.985    1.20   1.68893    31.1           0.6004
20         21.977    2.16                             
21         32.586    4.93   1.49700    81.5           0.5375
22        -53.147  (可変)                             
23          ∞       1.20   1.51633    64.1           0.5353
24          ∞     4.35                            
像面        ∞   
【０１０１】
非球面データ
第8面
K = 0.00000e+000  A 4=-3.51294e-005  A 6=-7.19525e-008  A 8=-2.78685e-011  A10=-2.80560e-012  A12= 1.62205e-014  
第9面
K = 0.00000e+000  A 4=-1.96741e-005  A 6=-5.25613e-008  A 8= 1.31302e-011  A10=-1.85017e-012  A12= 1.00084e-014  
各種データ
ズーム比      3.30 
広角     中間     望遠
焦点距離      12.00    24.12    39.60  
Fナンバー      1.75     2.80     4.10  
半画角（度）  41.86    24.02    15.19  
像高          10.75    10.75    10.75  
レンズ全長   127.99   127.99   127.99  
BF            17.27     8.86    23.25  
d 6           48.96    27.06     5.16  
d15            2.60     8.48    16.49  
d17            1.58    26.01    25.52  
d22           12.13     3.72    18.11  
レンズ群データ
群  始面    焦点距離  
1    1     -25.48  
2    7      27.43  
3   16     -35.31  
4   18      42.75  
【０１０２】
［数値データ３］
単位 mm
面データ
面番号       r        d      nd         νd            θgf
1         78.372    2.00   1.83481    42.7           0.5648
2         20.741   12.27                             
3        -30.190    1.50   1.59522    67.7           0.5442
4         74.369    2.42   1.92286    18.9           0.6495
5       1067.731  (可変)                             
6(絞り)    ∞       0.69                             
7*        25.875    6.21   1.58313    59.4           0.5423
8*      -157.352    0.70                             
9         52.195    4.41   1.53775    74.7           0.5392
10        -78.215    1.40                             
11         50.077    1.10   1.90366    31.3           0.5947
12         19.789    0.78                             
13         20.940    7.57   1.43875    94.7           0.5340
14        -31.077  (可変)                             
15       -108.848    0.80   1.49700    81.5            0.5375
16         16.182  (可変)                             
17        208.488    4.23   1.83481    42.7           0.5648
18        -70.250    2.23                             
19        -40.013    1.20   1.78472    25.7           0.6161
20       -659.355    0.49                             
21         51.723    5.32   1.49700    81.5            0.5375
22        -31.930  (可変)                             
23          ∞       1.20   1.51633    64.1           0.5353
24          ∞      4.35                            
像面        ∞   
【０１０３】
非球面データ
第7面
K = 0.00000e+000  A 4=-5.72822e-006  A 6=-5.53282e-008  A 8= 6.85585e-010  A10=-2.83359e-012  A12= 4.59793e-015  
第8面
K = 0.00000e+000  A 4= 1.87082e-005  A 6=-4.44276e-008  A 8= 5.91147e-010  A10=-2.21901e-012  A12= 3.46366e-015  
各種データ
ズーム比      6.00 
広角     中間     望遠
焦点距離      12.00    22.77    72.00  
Fナンバー      1.75     3.20     5.00  
半画角（度）  41.86    25.27     8.49  
像高          10.75    10.75    10.75  
レンズ全長   127.17   127.17   127.17  
BF            19.39    21.50     6.63  
d 5           45.38    23.48     1.58  
d14            1.52     4.99    30.79  
d16            5.56    21.88    32.86  
d22           14.25    16.36     1.49  
レンズ群データ
群  始面    焦点距離  
1    1     -19.70  
2    6      23.19  
3   15     -28.29  
4   17      45.67  
【０１０４】
［数値データ４］
単位 mm
面データ
面番号       r        d      nd         νd            θgf
1        107.430    2.00   1.83481    42.7           0.5648
2         20.329   12.15                             
3        -56.059    1.50   1.48749    70.2           0.5300
4         99.972    1.25                             
5         52.095    3.18   1.89286    20.4           0.6393
6        158.838  (可変)                             
7(絞り)    ∞       0.70                             
8*        47.544    6.25   1.58313    59.4           0.5423
9*       -70.350    4.00                             
10         26.719    4.89   1.49700    81.5           0.5375
11        -71.207    1.60                             
12        130.892    0.90   1.90366    31.3           0.2910
13         21.914    1.79                             
14         55.244    2.91   1.49700    81.5           0.5375
15        -39.195  (可変)                             
16        -33.133    0.80   1.49700    81.5           0.5375
17         47.935    2.44   1.68893    31.1           0.6004
18        116.359  (可変)                             
19         32.660    6.38   1.83481    42.7           0.5648
20        -60.130    1.20   1.68893    31.1           0.6004
21         21.586    1.09                             
22         26.117    5.17   1.49700    81.5           0.5375
23        -40.854  (可変)                             
24        -26.074    1.00   1.49700    81.5           0.5375
25       -110.316  (可変)                             
26          ∞       1.20   1.51633    64.1           0.5353
27          ∞      4.00                            
像面        ∞   
【０１０５】
非球面データ
第8面
K = 0.00000e+000  A 4=-1.66569e-005  A 6=-1.28563e-008  A 8=-5.41482e-010  A10= 3.44305e-012  A12=-1.06396e-014  
第9面
K = 0.00000e+000  A 4=-6.10487e-006  A 6=-1.14451e-008  A 8=-4.37860e-010  A10= 2.76154e-012  A12=-8.14534e-015  
各種データ
ズーム比      4.00 
広角     中間     望遠
焦点距離      12.35    24.78    49.40  
Fナンバー      1.75     2.80     4.30  
半画角（度）  41.04    23.46    12.28  
像高          10.75    10.75    10.75  
レンズ全長   127.93   127.93   127.93  
BF             6.29     7.29     7.03  
d 6           46.75    24.85     2.95  
d15            1.34    12.33    35.03  
d18            1.66    19.52    18.99  
d23           10.69     2.73     2.73  
d25            1.50     2.50     2.24  
レンズ群データ
群  始面    焦点距離  
1    1     -28.57  
2    7      31.24  
3   16     -58.73  
4   19      37.78  
5   24     -68.97  
【０１０６】
［数値データ５］
単位 mm
面データ
面番号       r        d      nd         νd             θgf
1        174.795    2.00   1.83481    42.7           0.5648
2         21.425   12.04                             
3        -48.088    1.50   1.48749    70.2           0.5300
4        149.952    0.70                             
5         58.187    4.98   1.89286    20.4           0.6393
6        259.762  (可変)                             
7(絞り)    ∞       0.70                             
8*        40.966    6.23   1.58313    59.4            0.5423
9*       -97.306    4.00                             
10         30.041    4.73   1.49700    81.5           0.5375
11        -64.147    1.40                             
12        117.409    0.90   1.90366    31.3           0.2910
13         22.675    1.65                             
14         49.824    3.00   1.49700    81.5           0.5375
15        -40.815  (可変)                             
16        -38.456    0.80   1.49700    81.5           0.5375
17         44.379    1.88   1.68893    31.1           0.6004
18         80.193  (可変)                             
19         29.709    6.08   1.83481    42.7           0.5648
20       -101.500    1.20   1.68893    31.1           0.6004
21         20.465    1.34                             
22         27.558    4.62   1.49700    81.5           0.5375
23        -44.485  (可変)                             
24        -25.132    1.00   1.49700    81.5           0.5375
25        -67.081    1.50                           
26          ∞       1.20   1.51633    64.1           0.5353
27          ∞      4.00                            
像面        ∞   
【０１０７】
非球面データ
第8面
K = 0.00000e+000  A 4=-1.47811e-005  A 6=-5.54400e-008  A 8= 7.77209e-011  A10=-7.02865e-013  A12=-1.67398e-015  
第9面
K = 0.00000e+000  A 4=-3.42729e-006  A 6=-5.24578e-008  A 8= 1.20213e-010  A10=-9.58136e-013  A12=-6.66911e-018  
各種データ
ズーム比      4.00 
広角     中間     望遠
焦点距離      12.35    24.76    49.40  
Fナンバー      1.75     2.80     4.30  
半画角（度）  41.04    23.47    12.28  
像高          10.75    10.75    10.75  
レンズ全長   127.99   127.99   127.99  
BF             6.29     6.29     6.29  
d 6           46.26    24.36     2.46  
d15            1.35    13.28    35.50  
d18            1.65    20.45    20.12  
d23           11.69     2.87     2.87  
レンズ群データ
群  始面    焦点距離  
1    1     -28.19  
2    7      31.11  
3   16     -57.80  
4   19      40.11  
5   24     -81.51  
【０１０８】
［数値データ６］
単位 mm
面データ
面番号       r        d      nd         νd             θgf
1        206.340    2.00   1.83481    42.7           0.5648
2         20.274   12.65                             
3        -36.422    1.50   1.48749    70.2           0.5300
4          ∞       0.70                             
5         60.762    2.50   1.89286    20.4           0.6393
6        302.776  (可変)                             
7(絞り)    ∞       0.81                             
8*        44.891    6.60   1.58313    59.4           0.5423
9*       -47.024    0.81                             
10         17.758    6.00   1.49700    81.5           0.5375
11        771.057    1.00   1.51742    52.4           0.5564
12         15.710    3.45                             
13         74.624    0.90   1.90366    31.3           0.2910
14         22.377    5.30   1.49700    81.5           0.5375
15        -29.313  (可変)                             
16        -53.205    0.80   1.49700    81.5           0.5375
17         42.356  (可変)                             
18         23.122    6.80   1.83481    42.7           0.5648
19        122.738    1.20   1.68893    31.1           0.6004
20         16.917    1.79                             
21         23.562    6.30   1.49700    81.5           0.5375
22        -57.412  (可変)                             
23          ∞       1.20   1.51633    64.1           0.5353
24          ∞      5.35                             
像面        ∞   
【０１０９】
非球面データ
第8面
K = 0.00000e+000  A 4=-6.78351e-006  A 6=-2.57399e-009  A 8= 6.82474e-011  A10=-4.18054e-013  A12= 1.16584e-015  
第9面
K = 0.00000e+000  A 4= 4.46895e-006  A 6=-5.85355e-009  A 8= 8.33723e-011  A10=-3.80119e-013  A12= 9.88314e-016  
各種データ
ズーム比      3.90 
広角     中間     望遠
焦点距離      12.16    23.45    47.44  
Fナンバー      1.75     2.69     4.09  
半画角（度）  41.48    24.63    12.77  
像高          10.75    10.75    10.75  
レンズ全長   127.97   127.97   127.97  
BF            13.60     8.77     9.59
d 6           46.87    24.97     3.07  
d15            2.71    11.27    38.58  
d17            3.68    21.85    15.61  
d22            7.46     2.63     3.45  
レンズ群データ
群  始面    焦点距離  
1    1     -26.08  
2    7      30.36  
3   16     -47.32  
4   18      39.80  
【０１１０】
【表１】
2019120823.tif 000003
【符号の説明】
【０１１１】
Ｌ０  ズームレンズ      Ｌ１  第１レンズ群      Ｌ２  第２レンズ群
Ｌ３  第３レンズ群      Ｌ４  第４レンズ群      Ｌ５  第５レンズ群
【図１】
2019120823.tif 000004
【図２】
2019120823.tif 000005
【図３】
2019120823.tif 000006
【図４】
2019120823.tif 000007
【図５】
2019120823.tif 000008
【図６】
2019120823.tif 000009
【図７】
2019120823.tif 000010
【図８】
2019120823.tif 000011
【図９】
2019120823.tif 000012
【図１０】
2019120823.tif 000013
【図１１】
2019120823.tif 000014
【図１２】
2019120823.tif 000015
【図１３】
2019120823.tif 000016
【図１４】
2019120823.tif 000017
【図１５】
2019120823.tif 000018
【図１６】
2019120823.tif 000019